(57)【要約】【課題】ＡＬＣパネル及びその取付金物に関してコンピュータを利用した配送管理システムを構築することで書類のやりとりや取扱い作業を簡略化する。【解決手段】受注したＡＬＣパネル及びその取付金物の配送管理システムにおいて、上記パネルの受注データに基づいてパネルの生産番号や置場番号を決定し生産プランを作成するパネル生産プログラムと、上記取付金物の受注データに基づいて金物をいくつかの梱包箱に分けて詰め込む金物梱包プランおよび金物梱包データを作成する金物梱包プログラムと、上記金物梱包データ等を金物メーカーへ自動送信する金物梱包データ自動送信プログラムと、金物梱包箱の総重量から同じ車両に積載するパネルの積載可能量を決定する金物積載プログラムと、金物とパネルをトラックに積載するためのトラック台数と積込明細を決定するパネル出荷プログラムとを備えたことを特徴とする。【選択図】        図１
2005025611.tif 000002
【特許請求の範囲】
【請求項１】
顧客から注文を受けたＡＬＣパネル（以下単に「パネル」という場合もある）及びその取付金物（以下単に「金物」という場合もある）の受注データをコンピュータに入力して配送管理を行う金物の配送管理システムにおいて、上記パネルの受注データに基づいてパネルの生産番号や置場番号を決定し生産プランを作成するパネル生産プログラムと、上記取付金物の受注データに基づいて金物をいくつかの梱包箱に分けて詰め込む金物梱包プランおよび金物梱包データを作成する金物梱包プログラムと、上記金物梱包データ等を金物メーカーへ自動送信する金物梱包データ自動送信プログラムと、金物梱包箱の総重量から同じ車両に積載するパネルの積載可能量を決定する金物積載プログラムと、金物とパネルをトラックに積載するためのトラック台数と積込明細を決定するパネル出荷プログラムとを備えたことを特徴とするＡＬＣパネル及びその取付金物の配送管理システム。
【請求項２】
ＡＬＣパネル及びその取付金物の注文を注文明細書により受注・出荷部門が受付けるプロセスと、
上記注文明細書に基づいて上記パネル及び金物の受注データをコンピュータに入力するプロセスと、
上記パネル及び金物の受注データを受注・出荷データベースに蓄積するプロセスと、
上記受注データに基づいてパネルの生産番号や置場番号を決定し生産プランを作成するプロセスと、
前記受注データに基づいて金物梱包プランおよび金物梱包データを作成するプロセスと、
前記パネルの生産番号や置場番号および上記金物梱包データを受注・出荷データベースに蓄積するプロセスと、
上記金物梱包データにパネルの注文番号と工場での置場番号を付与して金物メーカーに自動送信するプロセスと、
上記金物メーカーにおいて上記金物梱包データとパネルデータをカードに印字し、梱包に貼り付けるプロセスと、
上記金物メーカーから金物を収容した梱包箱を引き取って上記カードに印字されたパネル置場番号の位置に配送するプロセスと、
パネル積み込み時に金物梱包箱を指定されたトラックに積み込み出荷するプロセスと、
を有することを特徴とするＡＬＣパネル及びその取付金物の配送管理方法。
【請求項３】
前記受注・出荷データベースに蓄積された金物梱包データとＡＬＣパネル出荷指示データに基づいて、金物梱包箱を一括して積み込むトラックを決めた後にパネル積み込みトラック台数とパネル明細を決定し、トラックを手配するプロセスを更に設けた、請求項２に記載のＡＬＣパネル及びその取付金物の配送管理方法。
【発明の詳細な説明】
【０００１】
【発明の属する技術分野】
本発明は、例えば建築物の壁や屋根、床、間仕切り等に使用されるＡＬＣ（軽量気泡コンクリート）パネル、及びそのパネルを建築物の躯体等に取付ける取付金物の配送管理システムおよび配送管理方法に関する。更に詳しくは、顧客から注文を受けたＡＬＣパネル及びその取付金物の受注データをコンピュータに入力してパネル及びその取付金物の配送管理を行う配送管理システムおよび配送管理方法に関するものである。
【０００２】
【従来の技術】
従来、上記のようなＡＬＣパネルは、その生産者であるパネル生産会社の工場等で所定の生産計画に基づいて、あるいは建築業者等の顧客からの注文等に応じて生産しており、上記パネルの生産者や取扱業者は、パネルの受注もしくは生産から出荷までの一連のプロセスをコンピュータにより管理している。
【０００３】
また建築業者等の顧客がＡＬＣパネルを注文する場合、そのパネルを建築物の躯体等に取付けるための取付金物を併せて注文するのが一般的であり、パネル生産者や取扱業者は、上記パネルの管理と並行して取付金物の配送管理を行っている。その取付金物の配送管理は、上記生産者や取扱業者の受注・出荷部門の担当者が顧客からの注文に応じて取付金物を金物メーカーに発注し、そのメーカーからの取付金物を上記担当者が受取って、ＡＬＣパネルと共にトラック等に積み込んで建築業者が指定した施工現場に搬入するもので、その一連のプロセスは、従来手作業で行われていた。
【０００４】
図３は上記ＡＬＣパネル及びその取付金物を顧客から受注してＡＬＣパネル施工現場に搬入するまでの従来のプロセスの一例を示すものである。先ず、顧客がＡＬＣパネル及びその取付金物を注文するに当たっては、顧客側の担当者が所定のパネル発注仕様書に注文するパネルの仕様や数量等を記載すると共に、金物注文明細書に注文する金物の仕様や個数等を記載して、所定の期日、例えばＡＬＣパネル納期日の８日前以前に生産者側の受注・出荷部門にＦＡＸ等により送付する。従って、パネルと金物の注文や変更は納期日の８日前に締め切られる。
【０００５】
納期日の７日前には、ＡＬＣパネルの受注データが保存されたデータベースを使用して、ＡＬＣパネルの生産プランがメインコンピュータで行われ、ＡＬＣパネルに生産番号と置場番号が付与される。
【０００６】
一方、受注・出荷部門の担当者は金物の梱包内容と箱数を決定し、金物注文明細書に金物注文番号、梱包箱数、梱包内容、ＡＬＣパネル生産番号、置場番号などを記入後、金物メーカーにＦＡＸ等により発注する。
【０００７】
納期日の６日前になると、受注・出荷部門の担当者は、同一出荷日の金物梱包数をもとに、金物メーカーからの金物引取り方法を決定する。その引取り方法としては、例えばトラックの帰り便、仕立て便、宅急便（登録商標）の中からいずれかを選定する。
【０００８】
また納期日の５日前には、パネルと金物の出荷指示書がＦＡＸで受注・出荷部門に送付されてくるので、担当者はデータを入力し、受注・出荷データベースに送信する。また金物メーカーは、金物注文明細書に従って、製作した金物を所定の箱に梱包し、金物注文番号、梱包箱数、梱包内容、ＡＬＣパネル生産番号、置場番号などを記入した梱包札を梱包箱に貼り付けて出荷に備える。
【０００９】
納期日の４日前になると、受注・出荷部門の担当者は、ＡＬＣパネル受注・出荷データが保存されたデータベースから出荷指示データを帳票に打出し、指示された車種の中の１台に金物梱包箱を積み込むことによるＡＬＣパネル積載可能量の減少分をコンピュータ端末より入力し、受注・出荷データベースに蓄積する。その後、受注・出荷データベースを使用して、金物とＡＬＣパネルをトラックに積載するためのＡＬＣパネル出荷プランがメインコンピュータで行われ、積載台数の決定とトラック毎の積み込み明細書が発行される。受注・出荷部門の担当者は、ＡＬＣパネルと金物の積載車両を手配する。
【００１０】
納期日の２日前になると、受注・出荷部門の担当者は、金物引取り便を金物メーカーに向かわせ、金物を工場に引き取る。工場では梱包札に記入されている置場番号の場所に分別し、指定された置場に配送する。
【００１１】
納期日の前日には、ＡＬＣパネルと金物を運搬するトラックが工場に入場するので、積み込み明細書に従ってＡＬＣパネルと金物が積み込まれ、検収された後に出荷される。そして納期日にＡＬＣパネルと金物はＡＬＣ施工現場に搬入される。
【００１２】
ところで、上記のような金物配送プロセスでは受注・出荷部門の担当者が手計算により金物梱包数や金物積載重量を算出するので、時間が掛かるとともに計算ミスも発生し業務に支障をきたしていた。また、受注・出荷部門の担当者が種々の情報を書き込んだ金物注文明細書を金物メーカーにＦＡＸ送信していたので、送り側と受取側の手間が掛かるだけでなく、金物メーカーでは往々にして情報の誤読が発生し、梱包札へ誤った情報を書き込む事態が頻繁にあった。さらに種々の作業が担当者の手作業で行われていたために決められた日に作業が行われず、金物の積み込みが出荷日に間に合わないこともあった。
【００１３】
【特許文献】
該当無し
【００１４】
【発明が解決しようとする課題】
本発明は上記の問題点に鑑みて提案されたもので、コンピュータを利用したＡＬＣパネル及びその取付金物の配送管理システムを構築することで、手計算による手間と計算ミスを防止し、書類のやりとりや取扱い作業を簡略化すると共に、誤読や誤記入を防止し、納期遅延を防止することのできる配送管理システムを提供することを目的とする。
【００１５】
【課題を解決するための手段】
上記の目的を達成するために本発明によるＡＬＣパネル及びその取付金物の配送管理システムおよび配送管理方法は、以下の構成としたものである。
【００１６】
即ち、本発明によるＡＬＣパネル及びその取付金物の配送管理システムは、顧客から注文を受けたＡＬＣパネル（以下単に「パネル」という場合もある）及びその取付金物（以下単に「金物」という場合もある）の受注データをコンピュータに入力して配送管理を行う金物の配送管理システムにおいて、上記パネルの受注データに基づいてパネルの生産番号や置場番号を決定し生産プランを作成するパネル生産プログラムと、上記取付金物の受注データに基づいて金物をいくつかの梱包箱に分けて詰め込む金物梱包プランおよび金物梱包データを作成する金物梱包プログラムと、上記金物梱包データ等を金物メーカーへ自動送信する金物梱包データ自動送信プログラムと、金物梱包箱の総重量から同じ車両に積載するパネルの積載可能量を決定する金物積載プログラムと、金物とパネルをトラックに積載するためのトラック台数と積込明細を決定するパネル出荷プログラムとを備えたことを特徴とする。
【００１７】
また本発明によるＡＬＣパネル及びその取付金物の配送管理方法は、ＡＬＣパネル及びその取付金物の注文を注文明細書により受注・出荷部門が受付けるプロセスと、上記注文明細書に基づいて上記パネル及び金物の受注データをコンピュータに入力するプロセスと、上記パネル及び金物の受注データを受注・出荷データベースに蓄積するプロセスと、上記受注データに基づいてパネルの生産番号や置場番号を決定し生産プランを作成するプロセスと、前記受注データに基づいて金物梱包プランおよび金物梱包データを作成するプロセスと、前記パネルの生産番号や置場番号および上記金物梱包データを受注・出荷データベースに蓄積するプロセスと、上記金物梱包データにパネルの注文番号と工場での置場番号を付与して金物メーカーに自動送信するプロセスと、上記金物メーカーにおいて上記金物梱包データとパネルデータをカードに印字し、梱包に貼り付けるプロセスと、上記金物メーカーから金物を収容した梱包箱を引き取って上記カードに印字されたパネル置場番号の位置に配送するプロセスと、パネル積み込み時に金物梱包箱を指定されたトラックに積み込み出荷するプロセスと、を有することを特徴とする。また前記受注・出荷データベースに蓄積された金物梱包データとＡＬＣパネル出荷指示データに基づいて、金物梱包箱を一括して積み込むトラックを決めた後にパネル積み込みトラック台数とパネル明細を決定し、トラックを手配するプロセスを更に設けたことを特徴とする。
【００１８】
上記のように構成された本発明による配送管理システムによれば、受注・出荷部門担当者の手計算による金物梱包数や金物積載重量の算出がなくなるので、計算手間の省略と共に計算ミスもなくすことができる。また金物梱包データ等が自動送信後カードに印字されるので、受注・出荷部門担当者と金物メーカーの手間が省略でき、情報の誤読や梱包札へ誤った情報を書き込む事態がなくなる。
【００１９】
また本発明による配送管理方法によれば、金物梱包プランや金物メーカーへの発注および金物積載プランが納期日前の指定された日に自動的に行われるため、金物の納期遅延を防止することができる。
【００２０】
【発明の実施形態】
以下に本発明によるＡＬＣパネル及びその取付金物の配送管理システムと配送管理方法を、図に示す実施形態に基づいて具体的に説明する。
【００２１】
図１は本発明に基づいてＡＬＣパネル及びその取付金物の受注から工場出荷までの一連のプロセスを管理するコンピュータシステムの一例を示す概略構成図である。ＡＬＣ生産者であるパネル生産会社には、ＡＬＣパネル製品の受注と出荷のプロセスを管理するメインコンピュータＭＣが設置され、そのメインコンピュータＭＣと、金物メーカーのコンピュータＰＣとが電話回線Ｃ等で接続されている。その金物メーカーのコンピュータＰＣには、後述する金物梱包箱に貼り付ける梱包貼り付けカードを印字するためのカードプリンタが備えられている。
【００２２】
上記メインコンピュータＭＣには、ＣＰＵ等の情報処理部１と、液晶ディスプレイ等の表示部２と、キーボードやマウス等の入力部３と、ハードディスク等の記憶部４などが備えられている。また上記の記憶部４には、ＡＬＣパネルの受注・出荷データと金物受注データ及び金物梱包データを保存する受注・出荷データベース４ａと、ＡＬＣパネルの生産プランを作成して実行するパネル生産プログラム４ｂと、ＡＬＣパネルの出荷プランを作成するパネル出荷プログラム４ｃと、ＡＬＣパネル取付金物の梱包プランおよび梱包データ等を作成する金物梱包プログラム４ｄと、その金物梱包プログラム４ｄで作成された金物梱包データ等を金物メーカーに自動送信する金物データ自動送信プログラム４ｅと、上記取付金物を出荷する際にトラック等への積載プランを作成する金物積載プログラム４ｆなどが備えられている。
【００２３】
図２は上記のコンピュータシステムを用いてＡＬＣパネル及びその取付金物の受注から金物メーカー発注、工場引取りから出荷までの一連の管理を行うプロセスの一例を示すもので、以下順を追って説明する。なお、下記の期日は一例であり、これに限られるものではない。
【００２４】
先ず、顧客が金物を注文するに当たっては、ＡＬＣパネルの注文と同時に若しくはそれとは別に、顧客の担当者が所定の金物注文明細書に注文する金物の仕様や個数等を記載してＡＬＣパネル納期日の８日前までに生産者側の受注・出荷部門にＦＡＸ等により送付する。金物の注文は納期日の８日前に締め切られる。
【００２５】
上記ＡＬＣパネルおよび金物の注文明細等の受注データは、注文番号等を付加した上で前記キーボードやマウス等の入力部３から若しくは他のコンピュータ端末などからデータ送信されて前記の受注・出荷データベース４ａに蓄積される。
【００２６】
そして納期日の７日前には、ＡＬＣパネルの受注データが保存された上記受注・出荷データベース４ａを使用して、メインコンピュータＭＣ内のパネル生産プログラム４ｂによりＡＬＣパネルの生産プランが作成され、それに基づいてパネル製造工場でのパネル生産が実行されると共に、製造される各ＡＬＣパネルに生産番号と、製造後に入庫されるパネル置き場の置場番号が付与される。
【００２７】
次いで、上記メインコンピュータＭＣ内の金物梱包プログラム４ｄにより金物梱包プランおよび金物梱包データが作成され、金物の梱包内容と梱包箱数が決定されて受注・出荷データベース４ａに保存される。そして、その受注・出荷データベース４ａに保存されたデータの中から金物注文明細のうちの金物注文番号、梱包箱数、梱包内容、梱包重量等の金物梱包データおよびＡＬＣパネル生産番号、置場番号などが、金物梱包データ自動送信プログラム４ｅにより自動的に抽出されて金物メーカーのパーソナルコンピュータＰＣに自動送信される。
【００２８】
次に、納期日の６日前になると、受注・出荷部門の担当者は、同一出荷日の金物梱包数をもとに、金物メーカーからの金物引取り方法を決定する。その引取り方法としては、例えばトラックの帰り便、仕立て便、宅急便（登録商標）の中からいずれかを選定する。
【００２９】
また納期日の５日前には、パネルと金物の出荷指示書がＦＡＸで受注・出荷部門に送付されてくるので、担当者はデータを入力し、受注・出荷データベースに送信する。また金物メーカーは、前記の金物データ自動送信プログラム４ｅによって自動送信されたデータに従って、製作した金物を所定の梱包箱内に梱包し、カードプリンタＰにより金物注文番号、梱包箱数、梱包内容などの金物梱包データと、ＡＬＣパネル生産番号、置場番号などが印字されたカードを梱包箱に貼り付けて出荷に備える。
【００３０】
そして、納期日の４日前には、メインコンピュータＭＣにて、受注・出荷データベース４ａに保存したパネル出荷指示データと金物梱包データを使用して、顧客から出荷指示書で指示されたパネル出荷用の車両（通常は例えば大型車ユニック、小型車平ボディーなどの車種をも含めて顧客が指示）の中の１台（通常は先頭の車両）に金物梱包箱を積み込むことによるＡＬＣパネル積載可能量の減少分を自動的に演算する金物積載プランが実行される。次に、受注・出荷データベースを使用して、金物とＡＬＣパネルをトラックに積載するためのＡＬＣパネル出荷プランがメインコンピュータで行われ、積載台数の決定とトラック毎の積み込み明細書が発行される。受注・出荷部門の担当者は、ＡＬＣパネルと金物の積載車両を手配する。
【００３１】
納期日の２日前に受注・出荷部門の担当者は、金物引取り便を金物メーカーに向かわせ、金物を工場に引き取る。工場では梱包カードに記入されている置場番号の場所に分別し、指定された置場に配送する。
【００３２】
納期日の前日にＡＬＣパネルと金物を運搬するトラックが工場に入場するので、積み込み明細書に従ってＡＬＣパネルと金物が積み込まれ、検収された後に出荷される。そして納期日にＡＬＣパネルと金物はＡＬＣ施工現場に搬入される。
【００３３】
【発明の効果】
以上説明したように本発明によるＡＬＣパネル及びその取付金物の配送管理システムおよび配送管理方法は、上記の構成であるから、受注・出荷部門担当者の手計算による金物梱包数や金物積載重量の算出がなくなるので、計算手間の省略と共に計算ミスもなくすことができる。また金物梱包データ等が金物メーカーに自動送信された後に梱包箱貼り付けカードに自動で印字されるので、受注・出荷部門担当者と金物メーカーの書類の取扱いや記入手間が省略でき、情報の誤読や梱包札へ誤った情報を書き込む事態がなくなる。さらに、金物梱包プランや金物メーカーへの金物データ送信および金物積載プランが納期日前の指定された日にコンピュータにて自動的に行われるため、金物の納期遅延を防止することができる等の効果がある。
【図面の簡単な説明】
【図１】本発明に基づいてＡＬＣパネル及びその取付金物の配送管理を行うコンピュータシステムの概略構成説明図。
【図２】本発明に基づいてＡＬＣパネル及びその取付金物の配送管理を行う際のプロセスの一例を示す説明図。
【図３】従来のＡＬＣパネル及びその取付金物の配送管理を行う際のプロセスの一例を示す説明図。
【符号の説明】
ＭＣ  メインコンピュータ
１  情報処理部
２  表示部
３  入力部
４  記憶部
４ａ  受注・出荷データベース
４ｂ  パネル生産プログラム
４ｃ  パネル出荷プログラム
４ｄ  金物梱包プログラム
４ｅ  金物梱包データ自動送信プログラム
４ｆ  金物積載プログラム
Ｃ  電話回線
ＰＣ  パーソナルコンピュータ
Ｐ  カードプリンタ
【図１】
2005025611.tif 000003
【図２】
2005025611.tif 000004
【図３】
2005025611.tif 000005